(57)【要約】【課題】ユーザの趣向にあった広告情報を表示させることができる情報検索装置を提供する。【解決手段】情報検索サーバ３のデータベース更新部３４は、受信されたユーザ識別情報を含む検索履歴情報の中の、受信された検索キーワードに対応づけられた検索回数を更新し、広告情報検索部３５は、受信されたユーザ識別情報を含む検索履歴情報の中から、予め定められた条件を満たす検索回数に対応づけられた検索キーワードを読み出し、該検索キーワードに等しい登録キーワードを広告情報データベース３１２から検索し、検索された登録キーワードに対応づけれらた広告情報を読み出し、情報送受信部３２は、取得された検索結果情報ならびに読み出された広告情報をユーザ端末２１に送信する。【選択図】図１
2006243800.tif 000002
【特許請求の範囲】
【請求項１】
ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、
広告について表示される広告情報に対し該広告情報を表示するユーザ端末から送信される検索キーワードにより検索される登録キーワードが対応づけられる広告情報データベースと、
ユーザを示すユーザ識別情報ならびに当該ユーザに所望された情報を検索するための検索キーワードがユーザ端末から送信されたときの当該ユーザ識別情報および検索キーワードを受信する手段と、
受信された検索キーワードを基に当該情報の場所を示す情報を含む検索結果情報を取得する手段と、
受信されたユーザ識別情報を含む検索履歴情報の中の、受信された検索キーワードに対応づけられた検索回数を更新する手段と、
受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出す手段と、
取得された検索結果情報ならびに読み出された広告情報を当該ユーザ端末に送信する手段と
を備えることを特徴とする情報検索装置。
【請求項２】
前記ユーザ端末で検索結果情報が表示され、選択され、該選択された検索結果情報を示す選択結果情報が送信されたときの当該選択結果情報を受信し、
受信された選択結果情報を基に当該ユーザに所望された情報である検索先情報を取得し、
選択結果情報が受信されたときにも検索回数を更新し、検索キーワードを読み出し、登録キーワードを検索し、広告情報を読み出し、
取得された検索先情報ならびに選択結果情報が受信されたときに読み出された当該広告情報を当該ユーザ端末に送信する
ことを特徴とする請求項１記載の情報検索装置。
【請求項３】
選択結果情報が受信されたときの検索回数の更新方法を検索キーワードが受信されたときの検索回数の更新方法に対して異ならせたことを特徴とする請求項２記載の情報検索装置。
【請求項４】
前記広告情報データベースは、広告情報に対し広告を示す広告識別情報ならびに広告の詳細な情報である詳細広告情報が対応づけられるものであり、
前記ユーザ端末で広告情報が表示され、選択され、該選択された広告情報の広告を示す広告識別情報が送信されたときの当該広告識別情報を受信し、
受信された広告識別情報に対応づけられた詳細広告情報を広告情報データベースから読み出し、
受信された広告識別情報に対応する登録キーワードを読み出し、受信されたユーザ識別情報を含む検索履歴情報の中の、読み出した登録キーワードに等しい検索キーワードを検索し、この検索キーワードに対応する検索回数を更新し、予め定められた条件を満たす検索回数に対応づけられた検索キーワードを読み出し、該検索キーワードに等しい登録キーワードを検索し、検索された登録キーワードに対応づけれらた広告情報を読み出し、
読み出された詳細広告情報ならびに広告識別情報が受信されたときに読み出された当該広告情報を当該ユーザ端末に送信する
ことを特徴とする請求項１ないし３のいずれかに記載の情報検索装置。
【請求項５】
広告識別情報が受信されたときの検索回数の更新方法を検索キーワードが受信されたときの検索回数の更新方法に対して異ならせたことを特徴とする請求項４記載の情報検索装置。
【請求項６】
ユーザに操作されるユーザ端末に広告情報が表示された広告の履歴に係る広告履歴情報が記憶される広告履歴情報データベースであって、広告履歴情報にユーザを示すユーザ識別情報が含まれるとともに広告履歴情報においては当該ユーザに操作されるユーザ端末に表示された広告情報の表示回数と当該表示回数を用いた広告情報の読み出しに先だって検索される登録キーワードとが対応づけられる広告履歴情報データベースを備え、
広告情報を広告情報データベースから読み出すときは、当該ユーザを示すユーザ識別情報を含む広告履歴情報において少ない表示回数に対応づけられた登録キーワードに対応づけられた広告情報を読み出す
ことを特徴とする請求項１ないし５のいずれかに記載の情報検索装置。
【請求項７】
検索履歴情報は、検索キーワードに対して該検索キーワードが送信された日時である検索日時が対応づけられるものであり、
広告情報を広告情報データベースから読み出すときは、当該ユーザを示すユーザ識別情報を含む検索履歴情報における検索日時に応じた優先順位に基づいて広告情報を読み出す  ことを特徴とする請求項１ないし６のいずれかに記載の情報検索装置。
【請求項８】
ユーザに所望される情報の検索のときに用いられるユーザ端末と情報の検索を行う情報検索装置とを備え、
前記ユーザ端末は、
ユーザに操作される端末情報入力部と、
ユーザの操作により情報検索装置に情報を送信し、情報検索装置から送信される情報を受信する端末情報送受信部と、
受信された情報を出力する端末情報出力部とを備え、
前記情報検索装置は、
ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、
広告について表示される広告情報に対し該広告情報を表示するユーザ端末から送信される検索キーワードにより検索される登録キーワードが対応づけられる広告情報データベースと、
ユーザを示すユーザ識別情報ならびに当該ユーザに所望された情報を検索するための検索キーワードがユーザ端末から送信されたときの当該ユーザ識別情報および検索キーワードを受信する手段と、
受信された検索キーワードを基に当該情報の場所を示す情報を含む検索結果情報を取得する手段と、
受信されたユーザ識別情報を含む検索履歴情報の中の、受信された検索キーワードに対応づけられた検索回数を更新する手段と、
受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出す手段と、
取得された検索結果情報ならびに読み出された広告情報を当該ユーザ端末に送信する手段と
を備えることを特徴とする情報検索システム。
【請求項９】
ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、広告について表示される広告情報に対し該広告情報を表示するユーザ端末から送信される検索キーワードにより検索される登録キーワードが対応づけられる広告情報データベースとを備える情報検索装置と、ユーザに所望される情報の検索のときに当該ユーザに操作されるユーザ端末とが行う情報検索方法であって、
前記ユーザ端末の端末情報入力部に対するユーザの操作により入力された検索キーワードならびに当該ユーザを示すユーザ識別情報をユーザ端末の端末情報送受信部が情報検索装置に送信し、
前記情報検索装置は、
送信されたユーザ識別情報および検索キーワードを受信し、
受信された検索キーワードを基に当該情報の場所を示す情報を含む検索結果情報を取得し、
受信されたユーザ識別情報を含む検索履歴情報の中の、受信された検索キーワードに対応づけられた検索回数を更新し、
受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、
取得された検索結果情報ならびに読み出された広告情報を当該ユーザ端末に送信し、
前記ユーザ端末の端末情報出力部が、当該検索結果情報ならびに広告情報を出力する
ことを特徴とする情報検索方法。
【請求項１０】
ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、広告について表示される広告情報に対し該広告情報を表示するユーザ端末から送信される検索キーワードにより検索される登録キーワードが対応づけられる広告情報データベースとを備える情報検索装置に情報検索方法を実行させるコンピュータプログラムであって、
ユーザを示すユーザ識別情報ならびに当該ユーザに所望された情報を検索するための検索キーワードがユーザ端末から送信されたときの当該ユーザ識別情報および検索キーワードを受信し、
受信された検索キーワードを基に当該情報の場所を示す情報を含む検索結果情報を取得し、
受信されたユーザ識別情報を含む検索履歴情報の中の、受信された検索キーワードに対応づけられた検索回数を更新し、
受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、
取得された検索結果情報ならびに読み出された広告情報を当該ユーザ端末に送信する
情報検索方法を実行させることを特徴とするコンピュータプログラム。
【発明の詳細な説明】
【技術分野】
【０００１】
本発明は、ユーザの趣向にあった広告情報を表示させることができる情報検索装置、情報検索システム、情報検索方法及びコンピュータプログラムに関する。
【背景技術】
【０００２】
従来においては、メーカやサービス業者がテレビ、新聞、雑誌などのマスメディアを介して、自社の商品やサービスの広告を行ったり、ダイレクトメールで広告を行っていたが、近年では、映像情報などのコンテンツを含むホームページをインターネットを介して提供するウェブサイトによりホームページ上にバナーといわれる広告を行うことが多い。
【０００３】
かかる広告は、その費用が安価であることから、ユーザの嗜好を考慮しない広告が行われることが多く、広告効果が低かったため、広告効果を高めるシステムが提案されている。
【０００４】
かかるシステムを図９に示すが、この情報検索システムでは、ユーザ端末から検索キーワードを送信された情報検索サーバが、検索キーワードにより情報データベースから情報を検索するとともにユーザ端末に広告を表示させる。この情報検索サーバは、検索キーワードやこれにより検索された情報を元にユーザの趣向を解析して、この趣向をユーザ趣向データベースに記憶しておき、広告をユーザ端末に表示させる際には、ユーザ趣向データベースに記憶された趣向にあった広告情報を広告情報データベースから検索して表示させる（例えば、特許文献１参照）。
【特許文献１】特開２００２−１３２８５２号公報
【発明の開示】
【発明が解決しようとする課題】
【０００５】
しかしながら、図８の情報検索システムでは、予めユーザの趣向を解析し記憶する必要があるので、適切な解析が行われないと、ユーザの趣向にあった広告を表示させることができない。よって、その解析のための研究と試行錯誤が行われている。
【０００６】
本発明は、上記の課題に鑑みてなされたものであり、その目的とするところは、ユーザの趣向にあった広告情報を表示させることができる情報検索装置、情報検索システム、情報検索方法及びコンピュータプログラムを提供することにある。
【課題を解決するための手段】
【０００７】
上記の課題を解決するために、請求項１の本発明は、ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、広告について表示される広告情報に対し該広告情報を表示するユーザ端末から送信される検索キーワードにより検索される登録キーワードが対応づけられる広告情報データベースと、ユーザを示すユーザ識別情報ならびに当該ユーザに所望された情報を検索するための検索キーワードがユーザ端末から送信されたときの当該ユーザ識別情報および検索キーワードを受信する手段と、受信された検索キーワードを基に当該情報の場所を示す情報を含む検索結果情報を取得する手段と、受信されたユーザ識別情報を含む検索履歴情報の中の、受信された検索キーワードに対応づけられた検索回数を更新する手段と、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出す手段と、取得された検索結果情報ならびに読み出された広告情報を当該ユーザ端末に送信する手段とを備えることを特徴とする情報検索装置をもって解決手段とする。
【０００８】
請求項１の本発明によれば、受信されたユーザ識別情報を含む検索履歴情報の中の、受信された検索キーワードに対応づけられた検索回数を更新し、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、取得された検索結果情報ならびに読み出された広告情報を当該ユーザ端末に送信するので、ユーザの趣向にあった広告情報を表示させることができる。
【０００９】
請求項２の本発明は、前記ユーザ端末で検索結果情報が表示され、選択され、該選択された検索結果情報を示す選択結果情報が送信されたときの当該選択結果情報を受信し、受信された選択結果情報を基に当該ユーザに所望された情報である検索先情報を取得し、選択結果情報が受信されたときにも検索回数を更新し、検索キーワードを読み出し、登録キーワードを検索し、広告情報を読み出し、取得された検索先情報ならびに選択結果情報が受信されたときに読み出された当該広告情報を当該ユーザ端末に送信することを特徴とする請求項１記載の情報検索装置をもって解決手段とする。
【００１０】
請求項２の本発明によれば、選択結果情報が受信されたときにも検索回数を更新し、検索キーワードを読み出し、登録キーワードを検索し、広告情報を読み出し、取得された検索先情報ならびに選択結果情報が受信されたときに読み出された当該広告情報をユーザ端末に送信するので、検索キーワードが受信されたときの広告情報とは異なる広告情報を表示させることができる。
【００１１】
請求項３の本発明は、選択結果情報が受信されたときの検索回数の更新方法を検索キーワードが受信されたときの検索回数の更新方法に対して異ならせたことを特徴とする請求項２記載の情報検索装置をもって解決手段とする。
【００１２】
請求項３の本発明によれば、選択結果情報が受信されたときの検索回数の更新方法を検索キーワードが受信されたときの検索回数の更新方法に対して異ならせたことで、広告情報の検索に係る調整を行うことができる。
【００１３】
請求項４の本発明は、前記広告情報データベースは、広告情報に対し広告を示す広告識別情報ならびに広告の詳細な情報である詳細広告情報が対応づけられるものであり、前記ユーザ端末で広告情報が表示され、選択され、該選択された広告情報の広告を示す広告識別情報が送信されたときの当該広告識別情報を受信し、受信された広告識別情報に対応づけられた詳細広告情報を広告情報データベースから読み出し、受信された広告識別情報に対応する登録キーワードを読み出し、受信されたユーザ識別情報を含む検索履歴情報の中の、読み出した登録キーワードに等しい検索キーワードを検索し、この検索キーワードに対応する検索回数を更新し、予め定められた条件を満たす検索回数に対応づけられた検索キーワードを読み出し、該検索キーワードに等しい登録キーワードを検索し、検索された登録キーワードに対応づけれらた広告情報を読み出し、読み出された詳細広告情報ならびに広告識別情報が受信されたときに読み出された当該広告情報を当該ユーザ端末に送信することを特徴とする請求項１ないし３のいずれかに記載の情報検索装置をもって解決手段とする。
【００１４】
請求項４の本発明によれば、広告情報データベースを、広告情報に対し広告を示す広告識別情報ならびに広告の詳細な情報である詳細広告情報が対応づけられるものとし、ユーザ端末で広告情報が表示され、選択され、該選択された広告情報の広告を示す広告識別情報が送信されたときの当該広告識別情報を受信し、受信された広告識別情報に対応づけられた詳細広告情報を広告情報データベースから読み出し、受信された広告識別情報に対応する登録キーワードを読み出し、受信されたユーザ識別情報を含む検索履歴情報の中の、読み出した登録キーワードに等しい検索キーワードを検索し、この検索キーワードに対応する検索回数を更新し、予め定められた条件を満たす検索回数に対応づけられた検索キーワードを読み出し、該検索キーワードに等しい登録キーワードを検索し、検索された登録キーワードに対応づけれらた広告情報を読み出し、読み出された詳細広告情報ならびに広告識別情報が受信されたときに読み出された当該広告情報を当該ユーザ端末に送信することで、詳細広告情報を表示させることができるとともに
検索キーワードが受信されたときの広告情報とは異なる広告情報を表示させることができる。
【００１５】
請求項５の本発明は、広告識別情報が受信されたときの検索回数の更新方法を検索キーワードが受信されたときの検索回数の更新方法に対して異ならせたことを特徴とする請求項４記載の情報検索装置をもって解決手段とする。
【００１６】
請求項５の本発明によれば、広告識別情報が受信されたときの検索回数の更新方法を検索キーワードが受信されたときの検索回数の更新方法に対して異ならせたことで、広告情報の検索に係る調整を行うことができる。
【００１７】
請求項６の本発明は、ユーザに操作されるユーザ端末に広告情報が表示された広告の履歴に係る広告履歴情報が記憶される広告履歴情報データベースであって、広告履歴情報にユーザを示すユーザ識別情報が含まれるとともに広告履歴情報においては当該ユーザに操作されるユーザ端末に表示された広告情報の表示回数と当該表示回数を用いた広告情報の読み出しに先だって検索される登録キーワードとが対応づけられる広告履歴情報データベースを備え、広告情報を広告情報データベースから読み出すときは、当該ユーザを示すユーザ識別情報を含む広告履歴情報において少ない表示回数に対応づけられた登録キーワードに対応づけられた広告情報を読み出すことを特徴とする請求項１ないし５のいずれかに記載の情報検索装置をもって解決手段とする。
【００１８】
請求項６の本発明によれば、広告情報を広告情報データベースから読み出すときは、当該ユーザを示すユーザ識別情報を含む広告履歴情報において少ない表示回数に対応づけられた登録キーワードに対応づけられた広告情報を読み出すことで、少ない表示回数の広告情報を表示させることができる。
【００１９】
請求項７の本発明は、検索履歴情報は、検索キーワードに対して該検索キーワードが送信された日時である検索日時が対応づけられるものであり、広告情報を広告情報データベースから読み出すときは、当該ユーザを示すユーザ識別情報を含む検索履歴情報における検索日時に応じた優先順位に基づいて広告情報を読み出すことを特徴とする請求項１ないし６のいずれかに記載の情報検索装置をもって解決手段とする。
【００２０】
請求項７の本発明によれば、検索履歴情報は、検索キーワードに対して該検索キーワードが送信された日時である検索日時が対応づけられるものとし、広告情報を広告情報データベースから読み出すときは、当該ユーザを示すユーザ識別情報を含む検索履歴情報における検索日時に応じた優先順位に基づいて広告情報を読み出すことで、検索日時に応じた広告情報を表示させることができる。
【００２１】
請求項８の本発明は、ユーザに所望される情報の検索のときに用いられるユーザ端末と情報の検索を行う情報検索装置とを備え、前記ユーザ端末は、ユーザに操作される端末情報入力部と、ユーザの操作により情報検索装置に情報を送信し、情報検索装置から送信される情報を受信する端末情報送受信部と、受信された情報を出力する端末情報出力部とを備え、前記情報検索装置は、ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、広告について表示される広告情報に対し該広告情報を表示するユーザ端末から送信される検索キーワードにより検索される登録キーワードが対応づけられる広告情報データベースと、ユーザを示すユーザ識別情報ならびに当該ユーザに所望された情報を検索するための検索キーワードがユーザ端末から送信されたときの当該ユーザ識別情報および検索キーワードを受信する手段と、受信された検索キーワードを基に当該情報の場所を示す情報を含む検索結果情報を取得する手段と、受信されたユーザ識別情報を含む検索履歴情報の中の、受信された検索キーワードに対応づけられた検索回数を更新する手段と、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出す手段と、取得された検索結果情報ならびに読み出された広告情報を当該ユーザ端末に送信する手段とを備えることを特徴とする情報検索システムをもって解決手段とする。
【００２２】
請求項８の本発明によれば、受信されたユーザ識別情報を含む検索履歴情報の中の、受信された検索キーワードに対応づけられた検索回数を更新し、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、取得された検索結果情報ならびに読み出された広告情報を当該ユーザ端末に送信するので、ユーザの趣向にあった広告情報を表示させることができる。
【００２３】
また、情報検索システムにおいては、前記情報検索装置は、前記ユーザ端末で検索結果情報が表示され、選択され、該選択された検索結果情報を示す選択結果情報が送信されたときの当該選択結果情報を受信し、受信された選択結果情報を基に当該ユーザに所望された情報である検索先情報を取得し、選択結果情報が受信されたときにも検索回数を更新し、検索キーワードを読み出し、登録キーワードを検索し、広告情報を読み出し、取得された検索先情報ならびに選択結果情報が受信されたときに読み出された当該広告情報を当該ユーザ端末に送信することとしてもよい。
【００２４】
この本発明によれば、選択結果情報が受信されたときにも検索回数を更新し、検索キーワードを読み出し、登録キーワードを検索し、広告情報を読み出し、取得された検索先情報ならびに選択結果情報が受信されたときに読み出された当該広告情報をユーザ端末に送信するので、検索キーワードが受信されたときの広告情報とは異なる広告情報を表示させることができる。
【００２５】
また、情報検索システムにおいては、前記広告情報データベースは、広告情報に対し広告を示す広告識別情報ならびに広告の詳細な情報である詳細広告情報が対応づけられるものであり、前記情報検索装置は、前記ユーザ端末で広告情報が表示され、選択され、該選択された広告情報の広告を示す広告識別情報が送信されたときの当該広告識別情報を受信し、受信された広告識別情報に対応づけられた詳細広告情報を広告情報データベースから読み出し、受信された広告識別情報に対応する登録キーワードを読み出し、受信されたユーザ識別情報を含む検索履歴情報の中の、読み出した登録キーワードに等しい検索キーワードを検索し、この検索キーワードに対応する検索回数を更新し、予め定められた条件を満たす検索回数に対応づけられた検索キーワードを読み出し、該検索キーワードに等しい登録キーワードを検索し、検索された登録キーワードに対応づけれらた広告情報を読み出し、読み出された詳細広告情報ならびに広告識別情報が受信されたときに読み出された当該広告情報を当該ユーザ端末に送信することとしてもよい。
【００２６】
この本発明によれば、広告情報データベースを、広告情報に対し広告を示す広告識別情報ならびに広告の詳細な情報である詳細広告情報が対応づけられるものとし、ユーザ端末で広告情報が表示され、選択され、該選択された広告情報の広告を示す広告識別情報が送信されたときの当該広告識別情報を受信し、受信された広告識別情報に対応づけられた詳細広告情報を広告情報データベースから読み出し、受信された広告識別情報に対応する登録キーワードを読み出し、受信されたユーザ識別情報を含む検索履歴情報の中の、読み出した登録キーワードに等しい検索キーワードを検索し、この検索キーワードに対応する検索回数を更新し、予め定められた条件を満たす検索回数に対応づけられた検索キーワードを読み出し、該検索キーワードに等しい登録キーワードを検索し、検索された登録キーワードに対応づけれらた広告情報を読み出し、読み出された詳細広告情報ならびに広告識別情報が受信されたときに読み出された当該広告情報を当該ユーザ端末に送信することで、詳細広告情報を表示させることができるとともに検索キーワードが受信されたときの広告情報とは異なる広告情報を表示させることができる。
【００２７】
請求項９の本発明は、ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、広告について表示される広告情報に対し該広告情報を表示するユーザ端末から送信される検索キーワードにより検索される登録キーワードが対応づけられる広告情報データベースとを備える情報検索装置と、ユーザに所望される情報の検索のときに当該ユーザに操作されるユーザ端末とが行う情報検索方法であって、前記ユーザ端末の端末情報入力部に対するユーザの操作により入力された検索キーワードならびに当該ユーザを示すユーザ識別情報をユーザ端末の端末情報送受信部が情報検索装置に送信し、前記情報検索装置は、送信されたユーザ識別情報および検索キーワードを受信し、受信された検索キーワードを基に当該情報の場所を示す情報を含む検索結果情報を取得し、受信されたユーザ識別情報を含む検索履歴情報の中の、受信された検索キーワードに対応づけられた検索回数を更新し、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、取得された検索結果情報ならびに読み出された広告情報を当該ユーザ端末に送信し、前記ユーザ端末の端末情報出力部が、当該検索結果情報ならびに広告情報を出力することを特徴とする情報検索方法をもって解決手段とする。
【００２８】
請求項９の本発明によれば、受信されたユーザ識別情報を含む検索履歴情報の中の、受信された検索キーワードに対応づけられた検索回数を更新し、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、取得された検索結果情報ならびに読み出された広告情報を当該ユーザ端末に送信するので、ユーザの趣向にあった広告情報を表示させることができる。
【００２９】
請求項１０の本発明は、ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、広告について表示される広告情報に対し該広告情報を表示するユーザ端末から送信される検索キーワードにより検索される登録キーワードが対応づけられる広告情報データベースとを備える情報検索装置に情報検索方法を実行させるコンピュータプログラムであって、ユーザを示すユーザ識別情報ならびに当該ユーザに所望された情報を検索するための検索キーワードがユーザ端末から送信されたときの当該ユーザ識別情報および検索キーワードを受信し、受信された検索キーワードを基に当該情報の場所を示す情報を含む検索結果情報を取得し、受信されたユーザ識別情報を含む検索履歴情報の中の、受信された検索キーワードに対応づけられた検索回数を更新し、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、取得された検索結果情報ならびに読み出された広告情報を当該ユーザ端末に送信する情報検索方法を実行させることを特徴とするコンピュータプログラムをもって解決手段とする。
【００３０】
請求項１０の本発明によれば、受信されたユーザ識別情報を含む検索履歴情報の中の、受信された検索キーワードに対応づけられた検索回数を更新し、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、取得された検索結果情報ならびに読み出された広告情報を当該ユーザ端末に送信する情報検索方法を実行させるコンピュータプログラムを提供するので、このコンピュータプログラムをコンピュータに実行させることによりユーザの趣向にあった広告情報を表示させることができる。
【発明の効果】
【００３１】
本発明によれば、受信されたユーザ識別情報を含む検索履歴情報の中の、受信された検索キーワードに対応づけられた検索回数を更新し、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、取得された検索結果情報ならびに読み出された広告情報を当該ユーザ端末に送信するので、ユーザの趣向にあった広告情報を表示させることができる。
【発明を実施するための最良の形態】
【００３２】
以下、本発明の実施の形態を図面を参照して説明する。
【００３３】
［第１の実施の形態］
図１は、第１の実施の形態に係る情報検索システム１の構成図である。
【００３４】
図１に示すように、情報検索システム１は、ユーザ端末２１と該ユーザ端末２１からの要求により情報検索を行う情報検索装置としての情報検索サーバ３とを備え、ユーザ端末２１はインターネットを介して情報検索サーバ３に接続される。また、情報検索サーバ３は、ユーザ端末２１の他に、ユーザ端末２２、ユーザ端末２３等に接続されるが、本実施の形態では、ユーザ端末２１を代表として説明する。
【００３５】
ユーザ端末２１は、該ユーザ端末２１のユーザが情報検索サーバ３の機能を使用するために情報の入出力を行うものであり、図示しないが、検索キーワードの入力等のときにユーザに操作される端末情報入力部、インターネットを介して情報検索サーバ３と情報の送受信を行う端末送受信部、受信した情報を出力する端末情報出力部を備える。
【００３６】
情報検索サーバ３は、各種データベースを備えるデータベース部３１と、インターネットを介して情報の送受信を行う情報送受信部３２と、検索キーワードにより情報検索を行う情報検索部３３と、データベース部３１のデータベースの更新を行うデータベース更新部３４と、ユーザ端末２１へ送信される広告情報をデータベース部３１のデータベースから検索する広告情報検索部３５とを備える。
【００３７】
データベース部３１は、ユーザごとの検索履歴情報からなる検索履歴情報データベース３１１と、広告情報とこれについて登録された登録キーワードとを含む情報からなる広告情報データベース３１２とを備える。
【００３８】
情報送受信部３２は、インターネットを介してユーザ端末２１および他の装置と情報の送受信を行うものであり、ユーザ端末２１から送信されたユーザ識別情報、検索キーワード等を受信し、情報検索の結果である検索結果情報、広告情報等をユーザ端末２１に送信する。
【００３９】
情報検索部３３は、情報送受信部３２が受信した検索キーワードを基に情報検索を行うものである。
【００４０】
データベース更新部３４は、情報送受信部３２が受信したユーザ識別情報および検索キーワードを基に検索履歴情報データベース３１１を更新するものである。
【００４１】
広告情報検索部３５は、ユーザ端末２１に送信される広告情報を、更新された検索履歴情報データベース３１１内の情報を基に広告情報データベース３１２から選択するものである。
【００４２】
図２は、検索履歴情報データベース３１１の構成図である。
【００４３】
図２に示すように、検索履歴情報データベース３１１は、ユーザごとの検索履歴情報からなるものである。検索履歴情報は、そのユーザを示すユーザ識別情報を含み、検索キーワード、検索回数等の各項目で構成された情報が蓄積されるものである。検索キーワードの項目には、そのユーザのユーザ端末から送信された検索キーワードとしての単語、文章、記号、マーク等が格納される。検索回数の項目には、その検索キーワードでの検索回数が格納される。
【００４４】
図３は、広告情報データベース３１２の構成図である。
【００４５】
図３に示すように、広告情報データベース３１２は、広告識別情報、広告情報、詳細広告情報、登録キーワード等の各項目で構成された情報が蓄積されるものである。広告識別情報の項目には、１つの広告を示す広告識別情報が格納される。広告情報の項目には、その広告の存在を知らせるために表示される広告情報としてのバナーやテキスト等が格納される。詳細広告情報の項目には、例えば、その広告の詳細な情報である詳細広告情報として当該詳細な情報自体が格納される。この詳細広告情報の項目には、その広告の詳細な情報がインターネット上にあるときの当該情報の場所を示すＵＲＬなどを詳細広告情報として格納してもよい。登録キーワードの項目には、その詳細広告情報の検索に先立って検索キーワードにより検索される登録キーワードとしての単語、文章、記号、マーク等が格納される。この登録キーワードの項目には、複数の登録キーワードを格納してもよい。
【００４６】
次に、情報検索システム１の動作を説明する。
【００４７】
図４、図５および図６は、情報検索システム１のフローチャートである。
【００４８】
ユーザ端末２１は、ユーザの操作により、インターネットを介して情報検索サーバ３に接続し、所定の情報検索画面を表示する（ステップＳ１１）。ここで、ユーザに所望される情報を検索するための検索キーワードが入力され（ステップＳ１２）、送信指示されたユーザ端末２１は、この検索キーワードならびにユーザ端末２１に記憶されたユーザ識別情報を情報検索サーバ３に送信して情報検索を要求する（ステップＳ１２）。
【００４９】
このユーザ識別情報は、例えば、ユーザ端末２１に記憶されたクッキー内に含まれ、クッキーごと送信される。クッキーとは、ユーザに関する情報や最後にウェブサイトを訪問した日時、訪問回数などが記憶されるものであり、ユーザの識別等に使用される。
【００５０】
なお、クッキーを使用せずに、ユーザが情報検索サーバ３に対してユーザ登録を行い、このときに与えられたユーザ識別情報をユーザ端末２１が記憶し、これを情報検索サーバ３に送信してもよい。
【００５１】
情報検索サーバ３では、情報送受信部３２が検索キーワードとユーザ識別情報を受信し（ステップＳ２１）、情報検索部３３が、受信された検索キーワードに該当する情報をインターネットから検索し、そのタイトルやＵＲＬを取得する（ステップＳ２２）。以下、このタイトルやＵＲＬをまとめて検索結果情報といい、１以上の検索結果情報が取得されたこととする。
【００５２】
データベース更新部３４は、受信された検索キーワードとユーザ識別情報を基に検索履歴情報データベース３１１を更新する（ステップＳ２３）。ここでは、受信されたユーザ識別情報を含む検索履歴情報を検索し、その検索履歴情報の、受信された検索キーワードの検索回数の項目に１を加算する。検索履歴情報が検索できなかったときは、受信されたユーザ識別情報を含む検索履歴情報を生成し、検索キーワードの項目に、受信された検索キーワードを格納し、その検索回数の項目に１を格納する。検索された検索履歴情報の検索キーワードの項目に、受信された検索キーワードがなかったときは、検索キーワードの項目に、受信された検索キーワードを格納し、その検索回数の項目に１を格納する。
【００５３】
次に、広告情報検索部３５が、更新された検索履歴情報を基に広告情報データベース３１２から広告情報を検索する（ステップＳ２４）。ここでは、当該検索履歴情報の中から検索回数が予め設定された条件を満たす検索キーワード、例えば検索回数が上位１０位以内にある検索キーワードを読み出し、この検索キーワードに等しい登録キーワードを検索し、この登録キーワードに対応する広告情報を読み出す。ここでは、１以上の広告情報が読み出されたこととする。
【００５４】
次に、情報送受信部３２は、情報検索部３３により取得された検索結果情報と、広告情報検索部３５により検索された広告情報とをユーザ端末２１に送信する（ステップＳ２５）。
【００５５】
ユーザ端末２１では、端末送受信部が、送信された検索結果情報と広告情報を受信し、これらを端末情報出力部が画面上に表示する（ステップＳ４１）。
【００５６】
ここで、ユーザ端末２１は、その端末情報入力部に対して、ユーザにより例えば１つの検索結果情報を選択する操作が行われたか否かを判定し（ステップＳ４３）、当該操作が行われたと判定された場合は、ユーザ端末２１の端末送受信部が、この選択された検索結果情報を示す選択結果情報を情報検索サーバ３へ送信する（ステップＳ５１）。
【００５７】
情報検索サーバ３では情報送受信部３２が、送信された選択結果情報を受信する（ステップＳ５２）。
【００５８】
次に、情報検索部３３が、受信された選択結果情報で示された検索結果情報のＵＲＬなどが示すインターネット上の場所に格納された情報を取得する（ステップＳ５３）。以下、この情報を検索先情報という。
【００５９】
また、データベース更新部３４が、選択結果情報が受信されたときにも、検索履歴情報データベース３１１を更新する（ステップＳ５４）。ここでは、先に受信されたユーザ識別情報を含む検索履歴情報の中の、先に受信された検索キーワードに対応する検索回数に例えば１を加算する。あるいは、検索キーワードを受信したときとは重み付けを変えて、例えば０．１を加算してもよい。
【００６０】
なお、検索回数の加算、すなわち、検索履歴情報データベース３１１の更新は行わなくてもよい。
【００６１】
次に、広告情報検索部３５が、更新された検索履歴情報を基に広告情報データベース３１２から例えばステップＳ２４と同様にして広告情報を検索する（ステップＳ５５）。ここでは、１以上の広告情報が検索されたこととする。
【００６２】
次に、情報送受信部３２は、情報検索部３３により取得された検索先情報と、広告情報検索部３５により検索された広告情報とをユーザ端末２１に送信する（ステップＳ５６）。
【００６３】
ユーザ端末２１では、端末送受信部が、送信された検索先情報と広告情報を受信し、これらを端末情報出力部が画面上に表示する（ステップＳ６１）。
【００６４】
ここで、ユーザ端末２１は、その端末情報入力部に対して、ユーザにより例えば１つの広告情報を選択する操作が行われたか否かを判定する（ステップＳ６２）。この判定は、ステップＳ４３で検索結果情報を選択する操作が行われていないと判定された場合にも行われ（ステップＳ４４）、各判定において、広告情報を選択する操作が行われたと判定された場合は、ユーザ端末２１の端末送受信部が、この選択された広告情報に対応する広告を示す広告識別情報を情報検索サーバ３へ送信する（ステップＳ７１）。
【００６５】
情報検索サーバ３では情報送受信部３２が、送信された広告識別情報を受信する（ステップＳ７２）。
【００６６】
次に、広告情報検索部３５が、受信された広告識別情報に対応する詳細広告情報を広告情報データベース３１２から読み出す、または、詳細広告情報であるＵＲＬなどが示すインターネット上の場所に格納された情報を取得する（ステップＳ７３）。以下、インターネット上の場所から取得された情報を便宜的に詳細広告情報という。
【００６７】
データベース更新部３４は、受信された広告識別情報と広告情報データベース３１２を用いて検索履歴情報データベース３１１を更新する（ステップＳ７４）。ここでは、広告情報データベース３１２から、受信された広告識別情報に対応する登録キーワードを読み出し、検索履歴情報データベース３１１の、先に受信されたユーザ識別情報を含む検索履歴情報から、読み出した登録キーワードに等しい検索キーワードを検索し、この検索キーワードに対応する検索回数を、ステップＳ５４と同様に更新する。もちろん、重み付けを変えて加算を行ってもよい。
【００６８】
次に、広告情報検索部３５が、更新された検索履歴情報を基に広告情報データベース３１２から例えばステップＳ２４やＳ５５と同様にして広告情報を検索する（ステップＳ７５）。ここでは、１以上の広告情報が検索されたこととする。
【００６９】
次に、情報送受信部３２は、広告情報検索部３５により取得された詳細広告情報と検索された広告情報とをユーザ端末２１に送信する（ステップＳ７６）。
【００７０】
ユーザ端末２１では、端末送受信部が、送信された詳細広告情報と広告情報を受信し、これらを端末情報出力部が画面上に表示する（ステップＳ８１）。
【００７１】
ここで、ユーザ端末２１は、その端末情報入力部に対して、ユーザにより例えば１つの広告情報を選択する操作が行われたか否かを判定し（ステップＳ８２）、広告情報を選択する操作が行われたと判定された場合は、ステップＳ７１以降の動作がなされる。
【００７２】
なお、ステップＳ４４、Ｓ６２、Ｓ８２で、広告情報を選択する操作が行われていないと判定された場合は、処理を終了させる操作が行われたか否かが判定され（ステップＳ４５、Ｓ６３、Ｓ８３）、当該操作が行われていないと判定された場合は、ステップＳ４３、Ｓ６２、Ｓ８２以降の動作がなされる。
【００７３】
また、ステップＳ４５、Ｓ６３、Ｓ８３で、処理を終了させる操作が行われたと判定された場合は、全体の動作が終了する。
【００７４】
［第２の実施の形態］
次に、第２の実施の形態に係る情報検索システム２を説明する。ここでは、情報検索システム１との差異を中心に説明する。
【００７５】
図７は、第２の実施の形態に係る情報検索システム２の構成図である。
【００７６】
情報検索サーバ３Ａは、情報検索サーバ３のデータベース部３１に、さらに広告履歴情報データベース３１３を備える。
【００７７】
図８は、情報検索システム２のデータベース部３１に設けられた広告履歴情報データベース３１３の構成図である。
【００７８】
図８に示すように、広告履歴情報データベース３１３は、ユーザごとの広告履歴情報からなるものである。広告履歴情報は、そのユーザを示すユーザ識別情報を含み、広告識別情報、表示回数、表示日時、選択回数、選択日時、登録キーワード等の各項目を備える。  広告識別情報の項目には、そのユーザのユーザ端末に広告情報が表示された広告を示す広告識別情報が格納される。表示回数の項目には、その広告情報の表示回数が格納される。表示日時の項目には、その広告情報の表示日時が格納される。選択回数の項目には、その広告情報の選択回数が格納される。選択日時の項目には、その広告情報の選択日時が格納される。登録キーワードの項目には、その表示回数を用いた広告情報の読み出しに先立って検索される登録キーワードとしての単語、文章、記号、マーク等が格納される。また、表示日時、選択日時、登録キーワードの各項目には、複数の表示日時、複数の選択日時、複数の登録キーワードを格納してもよい。なお、広告情報データベース３１２と広告履歴情報データベース３１３の両方に登録キーワードを格納するのでなく、広告情報データベース３１２と広告履歴情報データベース３１３を１つのデータベースで構成し、そのデータベースに登録キーワードを格納してもよい。
【００７９】
また、図示しないが、検索履歴情報データベース３１１の検索履歴情報は、検索日時の項目を備え、この項目には、そのユーザのユーザ端末から検索キーワードが送信された日時が１以上格納される。
【００８０】
次に、情報検索システム２の動作を説明する。
【００８１】
情報検索システム２では、ユーザにより検索キーワードが入力され（ステップＳ１２）、送信指示されたユーザ端末２１は、この検索キーワードならびにユーザ端末２１に記憶されたユーザ識別情報と現在の日時を情報検索サーバ３に送信して情報検索を要求する（ステップＳ１２）。情報検索サーバ３では、情報送受信部３２が検索キーワードとユーザ識別情報と現在の日時を受信し（ステップＳ２１）、データベース更新部３４が、この現在の日時を取得する。なお、データベース更新部３４は、情報検索サーバ３の時計機能を利用して現在の日時を取得してもよい。
【００８２】
ステップＳ２３の後、データベース更新部３４は、受信された検索キーワードとユーザ識別情報を基に検索履歴情報データベース３１１を更新する（ステップＳ２３）際に、前述した更新を行うとともに、検索された検索履歴情報の、検索日時の項目に、取得した現在の日時を格納する。
【００８３】
次に、広告情報検索部３５が、更新された検索履歴情報を基に広告情報データベース３１２から広告情報を検索する（ステップＳ２４）際に、更新された検索履歴情報の中に例えば検索回数が１０位の検索キーワードが複数ある場合には、対応する検索日時が最新の検索キーワードを優先的に読み出し、この検索キーワードに等しい登録キーワードを、広告履歴情報データベース３１３の、先に受信したユーザ識別情報を含む広告履歴情報から検索し、この登録キーワードに対応する広告識別情報を読み出し、この広告識別情報に対応する広告情報データベース３１２から読み出す。
【００８４】
また、ステップＳ２４で、検索日時が１週間以内の検索回数には５を加算し、検索日時が１ヶ月以内の検索回数には１を加算した上で、例えば検索回数が上位１０位以内にある検索キーワードを読み出してもよい。つまり、検索日時に応じた優先順位に基づいて広告情報を読み出すようにしてもよい。
【００８５】
また、この検索キーワードに等しい登録キーワードが複数ある場合には、対応する表示回数が少ない登録キーワードや、対応する選択回数が多い登録キーワードに対応する広告情報を読み出してもよい。また、この場合、表示日時や選択日時による重み付けを行って決定した登録キーワードに対応する広告情報を読み出してもよい。
【００８６】
その後、情報検索部３３により取得された検索結果情報と、広告情報検索部３５により検索された広告情報とがユーザ端末２１に送信された（ステップＳ２５）際に、データベース更新部３４は、広告履歴情報データベース３１３を更新する。ここでは、先に送信されたユーザ識別情報を含む広告履歴情報の中の、送信された広告情報の読み出しに先立って読み出された広告識別情報に対応する表示回数に１を加算し、当該広告識別情報に対応する表示日時の項目に現在の日時を格納する。
【００８７】
また、データベース更新部３４は、検索先情報と広告情報とがユーザ端末２１に送信された（ステップＳ５６）際、詳細広告情報と広告情報とがユーザ端末２１に送信された（ステップＳ７６）際にも、同様に広告履歴情報データベース３１３を更新する。
【００８８】
その後、データベース更新部３４は、受信された広告識別情報と広告情報データベース３１２を用いて検索履歴情報データベース３１１を更新する（ステップＳ７４）際に、広告履歴情報データベース３１３の中の、先に受信されたユーザ識別情報を含む広告履歴情報の、受信された広告識別情報に対応する選択回数に１を加算し、当該広告識別情報に対応する選択日時の項目に現在の日時を格納する。
【００８９】
以上説明したように、本実施の形態によれば、ユーザに所望される情報の検索の履歴に係る検索履歴情報が記憶され、検索履歴情報には当該ユーザを示すユーザ識別情報が含まれるとともに検索履歴情報においては当該ユーザに所望される情報の検索に用いられた検索キーワードに対して該検索キーワードを用いて行われた検索の検索回数が対応づけられる検索履歴情報データベースと、広告について表示される広告情報に対し該広告情報を表示するユーザ端末から送信される検索キーワードにより検索される登録キーワードが対応づけられる広告情報データベースとを設け、受信されたユーザ識別情報を含む検索履歴情報の中の、受信された検索キーワードに対応づけられた検索回数を更新し、受信されたユーザ識別情報を含む検索履歴情報の中から、予め定められた条件を満たす検索回数に対応づけられた検索キーワードを読み出し、該検索キーワードに等しい登録キーワードを広告情報データベースから検索し、検索された登録キーワードに対応づけれらた広告情報を読み出し、取得された検索結果情報ならびに読み出された広告情報を当該ユーザ端末に送信するので、ユーザの趣向にあった広告情報を表示させることができる。
【００９０】
また、選択結果情報が受信されたときにも検索回数を更新し、検索キーワードを読み出し、登録キーワードを検索し、広告情報を読み出し、取得された検索先情報ならびに選択結果情報が受信されたときに読み出された当該広告情報をユーザ端末に送信するので、検索キーワードが受信されたときの広告情報とは異なる広告情報を表示させることができる。
【００９１】
また、選択結果情報が受信されたときの検索回数の更新方法を重み付けの変更等により検索キーワードが受信されたときの検索回数の更新方法に対して異ならせたことで、広告情報の検索に係る調整を行うことができる。
【００９２】
また、広告情報データベースを、広告情報に対し広告を示す広告識別情報ならびに広告の詳細な情報である詳細広告情報が対応づけられるものとし、ユーザ端末で広告情報が表示され、選択され、該選択された広告情報の広告を示す広告識別情報が送信されたときの当該広告識別情報を受信し、受信された広告識別情報に対応づけられた詳細広告情報を広告情報データベースから読み出し、受信された広告識別情報に対応する登録キーワードを読み出し、受信されたユーザ識別情報を含む検索履歴情報の中の、読み出した登録キーワードに等しい検索キーワードを検索し、この検索キーワードに対応する検索回数を更新し、予め定められた条件を満たす検索回数に対応づけられた検索キーワードを読み出し、該検索キーワードに等しい登録キーワードを検索し、検索された登録キーワードに対応づけれらた広告情報を読み出し、読み出された詳細広告情報ならびに広告識別情報が受信されたときに読み出された当該広告情報を当該ユーザ端末に送信することで、詳細広告情報を表示させることができるとともに検索キーワードが受信されたときの広告情報とは異なる広告情報を表示させることができる。
【００９３】
また、広告識別情報が受信されたときの検索回数の更新方法を重み付けの変更等により検索キーワードが受信されたときの検索回数の更新方法に対して異ならせたことで、広告情報の検索に係る調整を行うことができる。
【００９４】
また、広告情報を広告情報データベースから読み出すときは、当該ユーザを示すユーザ識別情報を含む広告履歴情報において少ない表示回数に対応づけられた登録キーワードに対応づけられた広告情報を読み出すことで、少ない表示回数の広告情報を表示させることができる。
【００９５】
また、検索履歴情報は、検索キーワードに対して該検索キーワードが送信された日時である検索日時がさらに対応づけられるものとし、広告情報を広告情報データベースから読み出すときは、当該ユーザを示すユーザ識別情報を含む検索履歴情報における検索日時に応じた優先順位に基づいて広告情報を読み出すことで、検索日時に応じた広告情報を表示させることができる。
【００９６】
なお、上記説明した処理を実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００９７】
【図１】第１の実施の形態に係る情報検索システム１の構成図である。
【図２】検索履歴情報データベース３１１の構成図である。
【図３】広告情報データベース３１２の構成図である。
【図４】情報検索システム１のフローチャートである。
【図５】情報検索システム１のフローチャートである。
【図６】情報検索システム１のフローチャートである。
【図７】第２の実施の形態に係る情報検索システム２の構成図である。
【図８】情報検索システム２のデータベース部３１に設けられた広告履歴情報データベース３１３の構成図である。
【図９】従来の情報検索システムを示す図である。
【符号の説明】
【００９８】
１…情報検索システム
２…情報検索システム
３…情報検索サーバ
３Ａ…情報検索サーバ
２１…ユーザ端末
２２…ユーザ端末
２３…ユーザ端末
３１…データベース部
３２…情報送受信部
３３…情報検索部
３４…データベース更新部
３５…広告情報検索部
３１１…検索履歴情報データベース
３１２…広告情報データベース
３１３…広告履歴情報データベース
【図１】
2006243800.tif 000003
【図２】
2006243800.tif 000004
【図３】
2006243800.tif 000005
【図４】
2006243800.tif 000006
【図５】
2006243800.tif 000007
【図６】
2006243800.tif 000008
【図７】
2006243800.tif 000009
【図８】
2006243800.tif 000010
【図９】
2006243800.tif 000011